(57)【要約】【課題】配電盤及び遮断器の幅方向を縮小すると共に、部品点数を少なくした配電盤のシャッタ機構を提供することにある。【解決手段】配電盤１のシャッタ機構１０は、床面２に支持された複数の支持部材３に断路部８を取付け、断路部８の一方側に断路部８を開閉するシャッタ１１を配置し、シャッタ１１を昇降させて断路部８を開閉させる動作レバー１２をシャッタ１１に直接取付けることにより、前述の課題を達成する。【選択図】図１ 
2005261044.tif 000002
【特許請求の範囲】
【請求項１】
配電盤内に断路部を取付け、前記断路部の一方側に断路部を開閉するシャッタを配置し、前記シャッタを昇降させて断路部を開閉させる動作レバーを備えた配電盤のシャッタ機構において、前記動作レバーをシャッタに直接取付けることを特徴とする配電盤のシャッタ機構。
【請求項２】
配電盤内に断路部を取付け、前記断路部の一方側に断路部を開閉するシャッタを配置し、前記シャッタを昇降させて断路部を開閉させる動作レバーを備えた配電盤のシャッタ機構において、前記動作レバーとシャッタとが互いに対向する対向面において取付けることを特徴とする配電盤のシャッタ機構。
【請求項３】
配電盤内に絶縁層で被覆された断路部を取付け、前記断路部の一方側に断路部を開閉するシャッタを配置し、前記シャッタを昇降させて断路部を開閉させる動作レバーを備えた配電盤のシャッタ機構において、前記動作レバーをシャッタに取付けると共に、前記絶縁層端部に前記シャッタの昇降を案内する案内路を設けることを特徴とする配電盤のシャッタ機構。
【請求項４】
配電盤内に断路部を取付け、前記断路部の一方側に断路部を開閉するシャッタを配置し、前記シャッタを昇降させて断路部を開閉させる動作レバーを備えた配電盤のシャッタ機構において、前記動作レバーをシャッタに取付け、電気機器が動作レバーを押圧しシャッタを昇降すると共に、前記動作レバーの幅部を、前記電気機器の幅部と同じかそれ以下の幅に設定することを特徴とする配電盤のシャッタ機構。
【請求項５】
電気機器が動作レバー上を移動するのに応じ、動作レバーの押圧力によりシャッタを降下し断路部を露出すると共に、弾性部材により上昇エネルギーを蓄積し、電気機器が動作レバーの押圧力を釈放するのに応じて上昇エネルギーを釈放し、シャッタを上昇させて断路部を閉じることを特徴とする請求項１から４のいずれか１項に記載の配電盤のシャッタ機構。
【発明の詳細な説明】
【技術分野】
【０００１】
本発明は、電気機器が動作レバーを移動するのに応じて、動作レバーが回動してシャッタを昇降し断路部を開閉する配電盤のシャッタ機構に関する。
【背景技術】
【０００２】
従来の配電盤内の断路部に電気機器例えば遮断器を電気的に接離するために、配電盤内に遮断器を挿入すると、シャッタが降下し、露出した断路部に遮断器の接続部を電気的に接続する。また遮断器を配電盤内から外部に移動する時には、シャッタが上昇し断路部を閉じることにより、配電盤内で断路部に作業員などが触れることが出来ないようにして安全性を確保している。このようにシャッタを昇降させるシャッタ機構に付いては特許文献１を参照に説明する。
【０００３】
即ち、配電盤内側面の左右に支持部材を配置し、各支持部材間に絶縁部材を取付ける。絶縁部材には３相の断路部を取付ける。３相の断路部は電源側断路部と負荷側断路部とより成り、電源側断路部及び負荷側断路部を上側及び下側に所定間隔に配置する。これらの断路部の一方側配電盤内にシャッタを配置する。
【０００４】
シャッタは配電盤の左右内側面に配置され、且つ上方に伸びるロッドに支持されている。ロッドの下部は動作レバーと連結している。動作レバーのシャッタ側端には弾性部材例えばバネを配置し、これと反対側端は主軸に支持されている。従って、動作レバーはバネにより主軸を支点として常にシャッタ側端が反対側端より上昇した高い位置になるように傾斜している。遮断器の片側側面には押圧ピンが設けられている。
【０００５】
この状態で遮断器を配電盤内に挿入すると、押圧ピンが動作レバーを押圧しながら配電盤内を移動する。この移動に応じて、動作レバーが主軸を支点として回動し、バネを圧縮して上昇エネルギーを蓄積すると共に、シャッタが順次降下して、断路部を露出し、露出した断路部に遮断器の接続部を電気的に接続する。電源側断路部から遮断器の接続部を介して負荷側断路部に通電する。
【０００６】
そして、遮断器を配電盤内から外部に引出す時には、遮断器が外部に移動するにつれて押圧ピンが動作レバーを押圧する押圧力が徐々に弱まって、上昇エネルギーが釈放され、この釈放力によりシャッタが上昇し、シャッタが断路部を塞ぐ。
【特許文献１】特開昭５３―７４２５５号公報
【発明の開示】
【発明が解決しようとする課題】
【０００７】
しかしながら、前述のシャッタ機構においては、配電盤内側面に設けた動作レバーを押圧ピンにより押圧することにより、シャッタを昇降するために配電盤及び遮断器の幅方向が増加すると共に、部品点数が多くなる等の欠点がある。
【０００８】
本発明の目的は、配電盤及び遮断器の幅方向を縮小すると共に、部品点数を少なくした配電盤のシャッタ機構を提供することにある。
【課題を解決するための手段】
【０００９】
上記課題を解決するために、本発明の第１は、配電盤内に断路部を取付け、前記断路部の一方側に断路部を開閉するシャッタを配置し、前記シャッタを昇降させて断路部を開閉させる動作レバーを備えた配電盤のシャッタ機構において、前記動作レバーをシャッタに直接取付けることを特徴とするものである。
【００１０】
本発明の第２は、配電盤内に断路部を取付け、前記断路部の一方側に断路部を開閉するシャッタを配置し、前記シャッタを昇降させて断路部を開閉させる動作レバーを備えた配電盤のシャッタ機構において、前記動作レバーとシャッタとが互いに対向する対向面において取付けることを特徴とするものである。
【００１１】
本発明の第３は、配電盤内に絶縁層で被覆された断路部を取付け、前記断路部の一方側に断路部を開閉するシャッタを配置し、前記シャッタを昇降させて断路部を開閉させる動作レバーを備えた配電盤のシャッタ機構において、前記動作レバーをシャッタに取付けると共に、前記絶縁層端部に前記シャッタの昇降を案内する案内路を設けることを特徴とするものである。
【００１２】
本発明の第４は、配電盤内に断路部を取付け、前記断路部の一方側に断路部を開閉するシャッタを配置し、前記シャッタを昇降させて断路部を開閉させる動作レバーを備えた配電盤のシャッタ機構において、前記動作レバーをシャッタに取付け、電気機器が動作レバーを押圧しシャッタを昇降すると共に、前記動作レバーの幅部を、前記電気機器の幅部と同じかそれ以下の幅に設定することを特徴とするものである。
【００１３】
本発明の第５は、電気機器が動作レバー上を移動するのに応じ、動作レバーの押圧力によりシャッタを降下し断路部を露出すると共に、弾性部材により上昇エネルギーを蓄積し、電気機器が動作レバーの押圧力を釈放するのに応じて上昇エネルギーを釈放し、シャッタを上昇させて断路部を閉じることを特徴とするものである。
【発明の効果】
【００１４】
本発明によれば、動作レバーをシャッタに直接取付けるだけの構造でよいから、部品点数を少なく出きるばかりでなく、また動作レバーをシャッタまたは断路部に対向して支持するので、配電盤及び遮断器の幅方向を縮小することができる。
【発明を実施するための最良の形態】
【００１５】
以下、本発明の実施例を図１ないし図３により説明する。図１は本発明の実施例である配電盤のシャッタ機構付近における概略部分断面図である。図２は図１のＹ−Ｙ線断面した絶縁ケースの図である。図３は図１に使用したシャッタ機構の斜視図である。
【００１６】
図１ないし図３において、配電盤１は鋼板部材よりなり、配電盤１は床面２と床面２に取付け支持された支持板３とより成る。支持板３は床面２より上方に伸びていると共に、上側と下側とに所定間隔にケース挿入穴４を設けている。
【００１７】
このケース挿入穴４には絶縁部材より成る絶縁ケース５を装着している。絶縁ケース５の取付座６と支持板３との間に設けた取付手段７例えばボルト・ナットにより、絶縁ケース５を支持板３に固定している。絶縁ケース５内には３相の断路部８Ａ，８Ｂを取り付けている。図２に示す様に３相断路部８Ａ，８Ｂの開放口８Ｃ側にはシャッタ機構１０を配置すると共に、絶縁ケース５の端部には溝より成る案内路５Ａを形成している。
【００１８】
シャッタ機構１０は次のように構成している。シャッタ１１は絶縁部材例えば合成樹脂により成形されている。シャッタ１１は下側及び上側の断路部８Ａ，８Ｂに沿って配置されている。この実施例では後述の動作を説明する必要上、シャッタ１１の配置位置をＡ位置，Ｂ位置にしているが、実際の実施での配置位置はＢ位置である。
【００１９】
シャッタ１１は下側断路部８Ａに対向する３個のシャッタ貫通穴１１Ａを形成している。このシャッタ貫通穴１１Ａに遮断器１６の下側接続部１６Ｂが挿入される。シャッタ１１の下部に取付穴１１Ｂを形成している。取付穴１１Ｂに動作レバー１２の突起部１２Ａを挿入し、シャッタ外側に突出した突起部１２Ａの一部を捻るか、或いは取付けピン（図示せず）を挿入して、シャッタ１１に動作レバー１２を直接取付ける。
【００２０】
動作レバー１２は鋼板部材を使用し、図１及び図３のように途中で折曲げ傾斜面１２Ｘ１と水平面１２Ｘ２とを機械プレスにより形成している。シャッタ１１側の動作レバー端はシャッタと連結していると共に、動作レバー１２と床面２との間にはバネ１３を配置している。バネ１３はこの位置に限定されず。例えばシャッタ上側に配置してもよい。シャッタ上側にバネを配置する場合には、バネ端部を天井面に取付け、シャッタ降下時にバネは引張られエネルギーを蓄積する。
【００２１】
動作レバー端の外側に突出した左右の主軸１４には、軸受部に相当する固定金具１５に支持されている。主軸１４は床面側面に設けた左右の軸受部（図示せず）に挿入しても良い。従って、動作レバー１２は固定金具１５を支点としてＹ１位置からＹ２位置或いはＹ２位置からＹ１位置に回動することが出来る。またシャッタ側の動作レバー先端部１２Ｂが支持板３より外部に露出している。この部分の支持板１２には先端部１２Ｂを貫通する穴３Ａを形成しているが、先端部１２Ｂが支持板３より外部に露出しない場合には、穴を形成する必要はない。
【００２２】
次に、シャッタ機構１０の動作について説明する。
【００２３】
遮断器１６例えば真空遮断器が矢印方向Ｘ１に移動すると、遮断器１６の対向面１６Ａが動作レバー１２を押圧しながら矢印方向Ｘ１に進行する。動作レバー１２は固定金具１５を支点として反時計方向に回動しながら、バネ１３を押圧する。この間にバネ１３は圧縮されて圧縮エネルギーつまり上昇エネルギーを蓄積すると共に、動作レバー１２がＹ１位置からＹ２位置に回動し、これにともなってシャッタ１１を降下させる。シャッタ１１がＢ位置になると負荷側断路部８Ａ及び電源側断路部８Ｂを開放する。この露出した負荷側断路部８Ａ及び電源側断路部８Ｂに遮断器１６の接続部１６Ｂを接続する。
【００２４】
そうすると、電源側断路部８Ｂから遮断器１６を介して負荷側断路部８Ａに通電する。遮断器１６には一対の電極１６Ｃ，１６Ｄを有し、例えば一方側電極１６Ｄを他方側電極１６Ｃに接離することにより、電極は電気的に開閉する。
【００２５】
また、前述とは逆に遮断器１６を反対方向Ｘ２に移動すれば、動作レバー１２に圧縮されて蓄靖された上昇エネルギーが順次釈放されるので、この釈放力により動作レバー１２がＹ２位置からＹ１位置に主軸１４を介して時計方向に回動する。このため、シャッタ１１はＢ位置のように上昇し、負荷側断路部８Ａ及び電源側断路部８Ｂを閉じる。
【００２６】
このように、本発明の請求項１によれば、動作レバー１２を回動すれば、それに応じてシャッタ１１が降下するので、シャッタ操作機構１０の構成を従来技術に比べて部品点数を低減できる。例えば従来技術で説明した押圧ピン、ロッド等を省略できるので、この分部品点数を低減できる。これにより組立時間及び部品調整時間等を短縮することができる。
【００２７】
また動作レバー１２はシャッタ１１に直接取付けているので、従来技術で説明したように配電盤の左右側面に動作レバー及び押圧ピンを配置していないので、この分、本発明の配電盤１及び遮断器１６の幅部を縮小することが出来る。
【００２８】
本発明の請求項２によれば、シャッタ１１の取付穴１１Ｂに動作レバー１２の突起部１２Ａを挿入し、シャッタ外側に突出した突起部１２Ａを捻るか、或いは取付けピンを挿入し、シャッタ１１と動作レバー１２と連結し固定できる。この場合、動作レバー１２とシャッタ１１とは互いの対向面で挿入できるようにしたから、挿入個所を見ながら挿入作業ができるので、容易に両者を取付けことができる。従って、取付け作業能率が良い。
【００２９】
本発明の請求項３によれば、絶縁ケース５の端部の案内路５Ａにシャッタ１１を収納しているので、シャッタ１１は案内路５Ａにより円滑に昇降することができ、シャッタ１１が損傷しにくくなり、案内路５Ａを設けた分だけシャッタ１１の寿命を向上することが出来る。
【００３０】
本発明の請求項４によれば、シャッタ１１及び動作レバー１２の幅部Ｗ１は遮断器の対向面１６Ａの幅部Ｗ２と同じかそれより小さい寸法に設定する。この実施例ではシャッタ１１の幅部Ｗ１は遮断器１６の対向面１６Ａの幅部Ｗ２と同じに設定し、動作レバー１２の幅部Ｗ１は遮断器１６の対向面１６Ａの幅部Ｗ２より小さく設定されている。そのため、従来技術で説明したように配電盤の左右側面に動作レバー及び押圧ピンを配置してのに比べて、本発明の配電盤１及び遮断器１６の幅部を縮小することが出来る。
【００３１】
尚、前述の実施例の遮断器は真空遮断器を例に説明したが、他の油入り型遮断器、磁気遮断器、負荷開閉器、断路器等の配電盤に出入りする引出型電気機器に使用することができる。
【００３２】
以上のように、本発明の配電盤のシャッタ機構によれば、配電盤及び電気機器の幅方向を縮小することが出来ると共に、部品点数を少なくすることが出来る。
【図面の簡単な説明】
【００３３】
【図１】本発明の実施例１である配電盤のシャッタ機構付近の概略部分断面図。
【図２】図１のＹ−Ｙ線より断面した絶縁ケースの断面図。
【図３】図１に使用したシャッタ機構の斜視図。
【符号の説明】
【００３４】
１…配電盤、２…床面、３…支持板，３Ａ…穴、４…ケース挿入穴、５…絶縁ケース、５Ａ…案内路、６…取付座、７…取付手段、８Ａ…下側断路部、８Ｂ…上側断路部、８Ｃ…開放口、１０…シャッタ機構、１１…シャッタ、１１Ａ…シャッタ貫通穴、１１Ｂ…取付穴、１２…動作レバー、１２Ａ…突起部、１２Ｂ…先端部、１３…バネ、１４…主軸、１５…固定金具、１６…遮断器、１６Ａ…遮断器対向面、１６Ｂ…接続部、１６Ｃ，１６Ｄ…電極、Ｗ１，Ｗ２…幅部。
【図１】
2005261044.tif 000003
【図２】
2005261044.tif 000004
【図３】
2005261044.tif 000005